(57)【要約】【課題】第２族元素イオンを除去した水を長期間もしくは大量に得るスケール除去器および、そのスケール除去器を搭載した加湿機を提供する。【解決手段】高さを同じくする外筒２および内筒３、そして両者をふさぐ上面、下面からなり、上面中心に内筒３よりも径が小さい空気孔１６を、また、下面中心に径が内筒３以下の取水孔１４を、そして外筒２側壁の一部に孔を開けて設けた入口１０および内筒３側壁の、入口に対して中心軸を基準に１８０°回転させた箇所に出口１２を有し、外筒２と内筒３の間に粒上のイオン交換樹脂６を充填することを特徴とするスケール除去器１を得る。また、そのスケール除去器１をタンク蓋２３に固定して給水タンク１７内に設けた加湿機を得る。【選択図】図１
2014043989.tif 000002
【特許請求の範囲】
【請求項１】
高さの同じ外筒および内筒と、
この外筒および内筒の開口をふさぐ上面、下面からなり、
前記外筒および内筒は断面が同心円で、
前記上面の中央部には前記内筒よりも径が小さい空気孔を、
前記下面の中央部には前記内筒よりも径が小さい取水孔を、
前記外筒の側壁の一部にスケールを含んだ処理液を流入させる流入口と、
前記内筒の側壁で前記流入口に対して前記同心円の中心軸を基準に１８０°回転させた箇所に前記処理液を流出させる流出口を有し、
前記外筒と前記内筒の間に粒状のイオン交換樹脂を充填し、前記流入口および前記流出口に前記イオン交換樹脂よりも目の細かいメッシュ材を設けることを特徴とするスケール除去器。
【請求項２】
高さの同じ外筒および内筒と、
この外筒および内筒の開口をふさぐ上面、下面からなり、
前記外筒および内筒は断面が同心円で、
前記上面の中央部には前記内筒よりも径が小さい空気孔を、
前記下面の中央部には前記内筒よりも径が小さい取水孔を、
前記外筒の側壁の一部にスケールを含んだ処理液を流入させる流入口と、
前記内筒の側壁で前記流入口に対して前記同心円の中心軸を基準にわずかにずらした箇所に流出口を設け、
前記処理液は前記外筒と内筒の間を周回して流れ、
前記流入口の上流端と前記流出口の下流端とを結ぶ仕切り板を有したことを特徴とするスケール除去器。
【請求項３】
内筒の内側にスポンジ体を有することを特徴とする請求項１または２記載のスケール除去器。
【請求項４】
スポンジ体が親水性を有することを特徴とする請求項３記載のスケール除去器。
【請求項５】
高さ方向においてメッシュ材の下半分の目を上半分の目よりも細かくすることを特徴とする請求項１乃至４いずれかに記載のスケール除去器。
【請求項６】
給水バルブが設けられたタンク蓋を備えた給水タンク、および加湿トレイを有し、請求項１乃至５いずれかに記載のスケール除去器をタンク蓋に固定して給水タンク内に設けることを特徴とする加湿機。
【請求項７】
給水タンクが自立し、かつ給水バルブに固定し給水バルブを常時開ける再生台を備えることを特徴とする請求項６記載の加湿機。
【発明の詳細な説明】
【技術分野】
【０００１】
本発明は、スケールの元となる成分を除去した水を作り出すスケール除去器および、その水を気化させて部屋へのスケールの散布や加湿フィルタおよびトレイへのスケールの固着を防止する加湿機に関するものである。
【背景技術】
【０００２】
従来、スケールを除去した水を用いて加湿する加湿機が知られている（例えば、特許文献１参照）。
【０００３】
以下、その加湿機について図１６を参照しながら説明する。図１６に示すように加湿機は給水タンク１０１、イオンフィルタ１０２、加湿トレイ１０３、加湿モジュール１０４、送風機１０５で構成される。給水タンク１０１中の水はジグザグの通水路１０６を有し、通水路１０６の中に粒状の強酸性のイオン交換樹脂１０７が充填されたイオンフィルタ１０２を通水方向１０８に沿って通過する。
【０００４】
その際に水に含まれるカルシウムイオンやマグネシウムイオンなどの第２族元素からなるイオン（以下第２族元素イオンとする）がナトリウムイオンと交換する形で強酸性のイオン交換樹脂１０７に捕捉され、水中から除去される。第２族元素イオンが除去された水は加湿トレイ１０３に行き、加湿モジュール１０４と接触する。水は加湿モジュール１０４を構成する透湿性チューブ１０９の壁を透過して透湿性チューブ１０９の内側へと送られる。
【０００５】
そこで送風機１０５から通気方向１１０に沿って送り込まれた空気と接触し、気化して空気と混ざり、加湿される。水中の第２族元素イオンはイオンフィルタ１０２によって除去されているため、加湿トレイ１０３の水が乾いて第２族元素イオンが濃縮され、空気中の二酸化炭素や水中の炭酸イオンと結合して不溶性の炭酸塩となって加湿トレイ１０３に固着することを防ぐことができる。
【０００６】
また、透湿性チューブ１０８の壁面に浸透した第２族元素イオンが炭酸塩となって透湿性チューブ１０９の壁面を目詰まらせ、加湿性能を低下させるという不具合を軽減することができる。
【先行技術文献】
【特許文献】
【０００７】
【特許文献１】特開２００８−８９２１１号公報（第１２頁、図３）
【発明の概要】
【発明が解決しようとする課題】
【０００８】
特許文献１に記載される加湿機に搭載されるイオンフィルタは、図から察するに小さな出入り口および直方体の形状と長方形の通水断面を有する。そのため、長方形の通水断面の隅々まで通水されず、そのため充填した全てのイオン交換樹脂を第２族元素イオンの捕捉に用いることができず、第２族元素イオンの除去性能が早く低下するという課題を有する。
【０００９】
また、通水速度を制御できないため、給水タンクの水に含まれる第２族元素イオンを十分に除去しきれないという課題を有する。また、塩水を通水してナトリウムイオンを捕捉し再生する際に通水速度が速すぎて再生が十分に行えない、もしくは再生にたくさんの塩水を要するという課題を有する。
【００１０】
そこで、本発明のスケール除去器は、加湿に用いる水の中に含まれる第２族元素イオンの除去率を長期間に渡って高く維持し、また、少量の塩水で再生することを目的とするものである。
【００１１】
また、本発明の加湿機は、コンパクトな形状を保ちながら加湿フィルタや加湿トレイへのスケールの固着を防止し、加湿性能の低下を防止し加湿トレイの清潔さを維持することを目的とするものである。
【課題を解決するための手段】
【００１２】
そして、この目的を達成するために、本発明のスケール除去器は、高さの同じ外筒および内筒と、この外筒および内筒の開口をふさぐ上面、下面からなり、前記外筒および内筒は断面が同心円で、前記上面の中央部には前記内筒よりも径が小さい空気孔を、前記下面の中央部には前記内筒よりも径が小さい取水孔を、前記外筒の側壁の一部にスケールを含んだ処理液を流入させる流入口と、前記内筒の側壁で前記流入口に対して前記同心円の中心軸を基準に１８０°回転させた箇所に前記処理液を流出させる流出口を有し、前記外筒と前記内筒の間に粒状のイオン交換樹脂を充填し、前記流入口および前記流出口に前記イオン交換樹脂よりも目の細かいメッシュ材を設けることにより初期の目的を達成するものである。
【００１３】
また、本発明の加湿機は、上記スケール除去器を給水タンク内かつ給水タンクの蓋の裏に設けることにより初期の目的を達成するものである。
【発明の効果】
【００１４】
本発明のスケール除去器は、外筒側壁に設けられた入口から入った水が、内部に充填された粒状のイオン交換樹脂の間を通過し、外筒と中心軸を同じくする内筒の、中心軸を基準に入口に対して１８０°回転させた位置に設けられた出口から出る。したがって粒状のイオン交換樹脂が充填された領域全てが余すところなく通水経路になり、かつ全ての通水経路が同じ長さとなるため、長期間高い除去率を維持しながら水中の第２族元素イオンを除去することができる。
【図面の簡単な説明】
【００１５】
【図１】（ａ）本発明の実施の形態１のスケール除去器の上面図、（ｂ）同スケール除去器の側面図
【図２】同図１の一点破線Ｂにおけるスケール除去器の上面断面を示す構成図
【図３】同スケール除去器の上斜視図
【図４】同図３のスケール除去器の一点破線Ａにおける左断面を示す構成図
【図５】同図３のスケール除去器の一点破線Ｂにおける下断面を示す斜視断面図
【図６】同外筒を示す構成図
【図７】同内筒下面複合体を示す構成図
【図８】同上蓋を示す構成図
【図９】同スポンジ体を示す構成図
【図１０】本発明の実施の形態２のスケール除去器の上面断面を示す構成図
【図１１】本発明の実施の形態３の加湿機を示す断面構成図
【図１２】同加湿フィルタを示す構成図
【図１３】同再生台を示す構成図
【図１４】同再生台の上に自立させた給水タンクを示す構成図
【図１５】本発明の実施の形態３のスケール除去器の第２族元素イオン除去率を示すグラフ図
【図１６】従来の加湿機を示す構成図
【発明を実施するための形態】
【００１６】
以下、本実施の形態について図面を参照しながら説明する。
【００１７】
（実施の形態１）
外筒２、内筒３と下面４とを一体化させた内筒下面複合体５、イオン交換樹脂６、上蓋７、スポンジ体８からなるスケール除去器１の２面図を図１に、図１の一点破線Ｂによる上面断面図を図２に示す。
【００１８】
また、イオン交換樹脂６およびスポンジ体８を省いたスケール除去器１の上からの斜視図を図３に、図３の一点破線Ａによる斜視断面図を図４に、一点破線Ｂによる斜視断面図を図５示す。また、外筒２の構成図を図６に、内筒下面複合体５の構成図を図７に、上蓋７の構成図を図８に、スポンジ体の構成図を図９に示す。
【００１９】
本実施の形態のスケール除去器１は図６、７および８に示すように外筒２、内筒下面複合体５、上蓋７の３つの部品によって骨格が形成されており、内筒下面複合体５と外筒２を接合し、図２に示すように中心軸を同じくする外筒２および内筒３の間に直径およそ０．３〜１ｍｍのイオン交換樹脂６が隙間なく充填されている。そして開いている上面を上蓋７で塞いだ構造となっている。
【００２０】
また、内筒３の内側上部には図９に示すようなスポンジ体８が埋め込まれている。スポンジ体８は３次元的な網目形状を有しており通気性および通水性を有する。内筒３の内側下部は例えばバルブが上がって内筒３の内部にまで入ってきてもいいように空けている。外筒２は一部に四角形（本実施の形態では長方形）状の開口を設けおり、これが水の入口１０となる。また、内筒３も同様に一部が長方形状にくりぬかれており、これが水の出口１２となる。
【００２１】
出口１２は入口１０に対して中心軸を基準に１８０°回転させた位置に設けられている。
【００２２】
入口１０および出口１２にはイオン交換樹脂６よりも目の小さいメッシュ材１３が張り巡らされており、水は通してもイオン交換樹脂６が外部にこぼれないようになっている。また、外筒に比べて内筒は直径が小さいため、また、内筒の出口が大きすぎると水が通過しない領域ができてイオン交換樹脂全てを活用できなくなるためという理由から出口は入口よりも小さくしている。
【００２３】
上記構成において、第２族元素イオンを含む水は外筒２の側壁に設けられた入口１０からスケール除去器１の中に入った後、通水方向１５に示すように、同じ長さを有し、内筒によって分けられた左右２つの円弧を描くドーナツ状の通水路を進み、内筒３に設けられた出口１２から出る。そのとき通水路に設けられた、外筒２および内筒３の間のイオン交換樹脂６が充填された領域を、粒状のイオン交換樹脂６どうしの隙間を縫うように通過する。
【００２４】
このとき、左右２つの通水路は左右対称で差がなく、入口１０からまっすぐ入った水は自然と２等分される。しかし、例えば水が、入口１０から斜めに入った場合、入口１０には入口二分板１１を設けることにより、入口１０へ入って左右に分かれる水の量を確実に均等にすることができる。
【００２５】
イオン交換樹脂６はイオン結合によってナトリウムイオンを保持するスルホン酸基を内部に有しており、水と接触することによって水に含まれるカルシウムイオンやマグネシウムイオンなどの第２族元素イオンをスルホン酸基によって捕捉し、代わりに当初保持していたナトリウムイオンを放出する。
【００２６】
このような仕組みで炭酸カルシウムや炭酸マグネシウムといった不溶性塩の原因となる第２族元素イオンを除去した水を得ることができる。第２族元素イオンが除去された水はその後に内筒３の全周に設けられた出口１２から出て内筒３の内側に入り、さらに下面４に設けられた取水孔１４へと導出される。
【００２７】
ちなみに単位量あたりのイオン交換樹脂６が第２族元素イオンを捕捉できる量は限られており、限界量を捕捉しきった後は高濃度の塩化ナトリウム水溶液を通水してナトリウムイオンを補足し、第２族元素イオンを脱離させる必要がある。これを再生という。また、再生に使用した水は第２族元素イオンを多く含むため、加湿などに使用せずに廃棄する必要がある。
【００２８】
ここで第２族元素イオンの捕捉量を最大にする、もしくは充填したイオン交換樹脂６全てを最大限まで再生するには外筒２および内筒３の間の、イオン交換樹脂６が充填された領域全てが余すところなく通水経路になり、かつ全ての通水経路が同じ長さとなる構造が必要である。水は本発明のスケール除去器１の内部に設けられた左右２つの通水路に均等に導入される。そして左右２つの通水路は同じ長さを有しており、容積も同じなのでイオン交換樹脂６が同じだけ充填されている。
【００２９】
したがってイオン交換樹脂の充填された領域全てが通水経路となる通水路を、全ての水が同じ長さだけ通過するという上記条件を満たしている。そのため第２族元素イオンの高い除去性能を長期間維持し、また、全てのイオン交換樹脂６が第２族元素イオンの捕捉能力を最大限発揮するまで再生することができる。
【００３０】
また、例えば密閉された容器に水を入れ、取水孔１４を容器の外側に向けてスケール除去器１で蓋をしたような場合、容器をさかさまにしても容器の中が負圧になるため中の水は出ない。内筒３内部に通じる空気孔１６を通して外の空気を容器の中に入れることでスケール除去器１に通水しながら水を外に取り出すことができる。
【００３１】
内筒３の内側上部に設けられたスポンジ体８は空気が容器に入る速度を低減するために設けられている。そうすることで水がスケール除去器１を通過する速度を低減し、スケール除去器１が高い第２族元素イオンの除去性能を得ることを可能とする。
【００３２】
また、図には示していないが親水性の塗料、たとえばエチレンビニルアルコールと酢酸ビニルとを共重合させた樹脂のエマルジョン水溶液や、ケイ酸ナトリウムの薄い水溶液（水ガラス）などに浸漬して乾燥することでスポンジ体８の表面には親水性の膜が設けられている。
【００３３】
スポンジ体８は出口１２から出てきた水が表面を伝わることで下の取水孔１４へと導く役割も担っているため、表面を親水性にして水が伝わりやすくすることで滞りなく水を外に取り出すことができるようになる。
【００３４】
図７および図８に示すとおり、外筒２全周および内筒３全周にはメッシュ材１３がはがれないように設けられている。はがれないように設けるには、例えば熱で溶かしてメッシュ材１３を外筒２および内筒３に溶着すればよい。ちなみに図７および図８には内部をわかりやすくするために一部のみメッシュ材１３を記載している。
【００３５】
メッシュ材１３は例えばポリエステルやナイロン、ポリプロピレンなどの細い繊維で編まれたものを用いることができる。また、外筒２および内筒下面複合体５、上蓋７の材質は強度や耐食性が保たれていれば何を選択してもかまわないが、代表としてポリプロピレンやポリカーボネート、アクリロニトリルブタジエンスチレン、ポリスチレン、ポリエチレンテレフタレートなどのプラスチックが使用可能である。
【００３６】
また、本発明のスケール除去器を水と一緒に密閉されたタンクに入れて使う場合は、高さ方向においてスケール除去器の下の部分ほど通水しやすい。これは水の圧力が下側ほど強くなることと、水面が下がって通水が終わるまでの通水時間がスケール除去器の下側ほど長くなるためである。したがって流入口および流出口に設けられたメッシュ材の下半分の目を、上半分のそれよりも細かくすることで下半分の通水抵抗を増やし、上半分と下半分の通水しやすさの差を小さくすることができる。このようにすることで上下における通水ムラを改善し、第２族元素イオンの除去性能を高めることができる。
【００３７】
（実施の形態２）
実施の形態１に示したスケール除去器１と外観および基本的構成は同じで、内部の構造が異なるスケール除去器１の上面断面図を図１０に示す。したがって外観は図１のとおりであり、図２は図１に示す一点破線Ｂによる断面を示したものである。実施の形態１に示したスケール除去器１と同様に外筒２、内筒下面複合体５、上蓋７、内筒および外筒に充填されたイオン交換樹脂６、内筒上部に設けられたスポンジ体８で構成されており、外筒２側壁の入口１０および内筒３側壁の出口１２にはイオン交換樹脂６よりも目の細かいメッシュ材１３が張り巡らされている。
【００３８】
出口１２は中心軸を基準に入口１０に対してわずかにずらした位置に設けられており、入口１０と出口１２が短絡しないように仕切り板９が設けられている。すなわち、入口１０と出口１２は仕切り板９の反対側に設けられている。仕切り板９は下面から上面に掛けて内筒と外筒の間を縦に仕切るように設けられており、水は仕切り板９を通過することはできない。
【００３９】
この仕切り板９によって入口１０と出口１２を最短距離で結ぶ通水路はなくなり、替わりに時計回りに旋回した長い通水路が入口１０と出口１２との間に生まれる。入口１０から導入された水は全てこの旋回した長い通水路を通過し、出口１２から出る。このとき水は通水路に充填されたイオン交換樹脂６の隙間を縫うように通過し、その中に含む第２族元素イオンは除去される。
【００４０】
本実施の形態に示すスケール除去器１は実施の形態１に示すのと同様に、したがってイオン交換樹脂の充填された領域全てが通水経路となる通水路を、全ての水が同じ長さだけ通過するという上記条件を満たす構造となっている。そのため第２族元素イオンの高い除去性能を長期間維持し、また、全てのイオン交換樹脂６が第２族元素イオンの捕捉能力を最大限発揮するまで再生することができる。
【００４１】
（実施の形態３）
給水タンク１７、加湿トレイ１８、加湿フィルタ１９、送風機２０からなる加湿機の構成図を図１１に、加湿フィルタ１９の構成図を図１２に、給水タンク１７を自立させながら給水バルブ２１を開けるための再生台２２の構成図を図１３に、再生台２２の上に自立させた給水タンク１７の構成図を図１４に示す。
【００４２】
給水タンク１７はタンク蓋２３と、タンク蓋２３の裏に装着したスケール除去器１を備えている。タンク蓋２３の円周部内側にはねじ溝Ｂ２４が付いていて、同じくねじ溝Ｂ２４が設けられた給水タンク１７本体に被せてねじることで給水タンク１７の開け閉めをすることができる。
【００４３】
また、スケール除去器１にはねじ溝Ｃ２５が設けられており、タンク蓋２３の裏側に設けられたねじ溝Ｃ２５に当ててねじることでタンク蓋２３に着脱することができる。スケール除去器１が装着されたタンク蓋２３を開け、給水タンク１７に水を入れ、タンク蓋２３を閉め、給水タンク１７を上下にひっくり返し、図１１のとおり加湿機に装着する。
【００４４】
ここでタンク蓋２３に設けられた給水バルブ２１はバルブばね２６とゴム製の弁２７を有し、押さない限りは閉じられているため給水タンク１７を上下にひっくり返しても水が漏れない。また、給水タンク１７はトレイ支持体２９に支えられて加湿機内で自立している。給水タンク１７を加湿機に装着後、加湿機に設けられたトレイ突起２８が給水バルブ２１に設けられたバルブ先端３０に接触して給水バルブ２１を押し開く。
【００４５】
そしてマリオットのびんの原理によって口ばし３７とほぼ同じ位置まで加湿トレイ１８に水が供給される。加湿トレイ１８に供給された水は、図１２に示すような通気性を有する不織布を円筒状に丸めた円筒状不織布３１をフィルタフレーム３２に納めた加湿フィルタ１９に吸い上げられる。
【００４６】
円筒状不織布３１に吸い上げられた水は送風機２０によって空気吸込み口３３から入り円筒状不織布３１の中を通り抜ける空気と接触して気化し、水蒸気となる。水蒸気を含んだ空気は通風方向３４に沿ってオリフィス３５の下流にある送風機２０へとスムーズに吸い込まれ、空気吹出し口３６から吹き出され、周囲を加湿する。
【００４７】
ここで、給水タンク１７の水は全てスケール除去器１の外筒２側壁全周に設けられた入口１０を通って内筒３側壁全周に設けられた出口１２から出て、給水バルブ２１を通じて加湿トレイ１８へと供給される。この時水は自重による圧力によってスケール除去器１の中を通過し、加湿トレイ１８へ供給される。
【００４８】
そして給水タンク１７からなくなった水の体積を埋めるように給水バルブ２１から空気孔１６を通じて給水タンク１７の内部に空気が入る。そしてタンク蓋２３に設けられた口ばし３７に水面が触れて空気の通り道が塞がれるまで給水タンク１７内の水は加湿トレイ１８に供給される。加湿トレイ１８の水は加湿されて水面が下がったら再度口ばし３７に水面が触れるまで給水タンク１７から加湿トレイ１８に水が供給される。
【００４９】
給水タンク１７内の水はスケール除去器１を通過することで中に含まれていた第２族元素イオンが取り除かれ、その後に加湿トレイ１８に供給され、加湿フィルタ１９に吸い上げられる。そのため第２族元素イオンが炭酸イオンと結合し、不溶性塩となって加湿トレイ１８や加湿フィルタ１９にこびりつくことを防ぐことができる。
【００５０】
炭酸カルシウムなどの不溶性塩は一旦こびりつくと剥がすのに大変な労力を必要とする。また、円筒状不織布３１の繊維と繊維の間にこびりつき、水の吸い上げを阻害する。そのため加湿機は加湿能力の低下を引き起こすが本実施の形態の加湿機では本発明のスケール除去器１を設けることによってこの問題を解決している。また、スケール除去器１をタンク蓋２３の裏に装着して給水タンク１７本体の中に納めているためスケール除去器１を設置する場所を省略することができる。その結果、加湿機を小型化することが可能となっている。
【００５１】
スケール除去器１が捕捉除去できる第２族元素イオンの量には限界があり、限界に達した後は高濃度の、例えば濃度が５０ｇ／Ｌの塩化ナトリウム水溶液をゆっくり通水することで捕捉した第２族元素イオンを放出してナトリウムイオンに置換することができる。
【００５２】
第２族元素イオンを再度捕捉除去するためにこのようにしてスケール除去器１を再生することができる。再生に用いた塩化ナトリウム水溶液の中には脱離した第２族元素イオンが大量に含まれているため、加湿機に入れて加湿に用いてはいけない。したがって再生の際にはスケール除去器１を加湿機から取り外して別の場所で行う必要がある。
【００５３】
ここで図１３に示すとおり、再生台２２はバルブ先端３０を押して給水バルブ２１を開けるための再生台突起３８が中央に、給水タンク１７を支えて自立させるための再生台支持体３９を周囲に備えている。そして給水タンク１７の中に塩化ナトリウム水溶液を入れ、スケール除去器１を装着したタンク蓋２３を閉め、給水タンク１７の上下をひっくり返し、洗面所シンクや流し台シンクなど排水可能な場所に置いた再生台２２の上に自立させる。
【００５４】
再生台２２の再生台突起３８に押されることによって給水バルブ２１は開かれ、給水タンク１７の中の塩化ナトリウム水溶液はスケール除去器１に通水されると同時にシンクの排水口へと排水される。また同時に給水バルブ２１から空気孔１６を通じて空気が給水タンク１７に入る。
【００５５】
こうして給水タンク１７内の塩化ナトリウム水溶液は全てなくなるまでスケール除去器１に通水される。全てが通水し終えたらタンク蓋２３を開けて給水タンク１７の中やタンク蓋２３、スケール除去器１を水ですすぐ。その後、給水タンク１７に加湿するための水道水を入れ、タンク蓋２３で蓋をし、加湿機にセットする。
【００５６】
このように本発明の加湿機は塩化ナトリウム水溶液を入れた給水タンク１７にスケール除去器１が装着されたタンク蓋２３で蓋をし、その後自再生台の上に静置するだけで手軽にスケール除去器を再生することができる。
【実施例】
【００５７】
実施の形態１で示したスケール除去器１を実際に作成し、実施の形態３で示した給水タンク１７および加湿トレイ１８を用いて第２族元素イオンの除去性能を評価した。
【００５８】
試験には塩化カルシウム２水和物１．１０ｇ、硫酸マグネシウム７水和物０．６３ｇ、塩化ナトリウム０．７８ｇを水に溶かして１リットルにした人工硬水を用いた。この人工硬水はアメリカ硬度（以下硬度）で表すと１０００ｐｐｍとなる。
【００５９】
容量３．８Ｌの給水タンクに人工硬水を入れ、スケール除去器１を固定したタンク蓋２３で蓋をした。そして給水タンク１７をひっくり返して加湿トレイ１８に設置した。人工硬水はスケール除去器１を通過した後に加湿トレイ１８へと流れ、貯まる。そして水面がくちばしに達し、通水が止まる。通水が止まった後の加湿トレイ１８の水の硬度を測定し、以下の式で第２族元素イオン除去率を求めた。
【００６０】
第２族元素イオン除去率（％）＝（１−加湿トレイ１８の水の硬度／給水タンク１７の水の硬度）×１００
評価に用いたスケール除去器１は外筒２の内径が６４ｍｍ、内筒３の外径が２８ｍｍ、高さが６０ｍｍ（イオン交換樹脂６が充填されている内部の高さは５６ｍｍ）であり、外筒２の内周および内筒３の外周にメッシュ材１３を設けている。結果を図１５に示す。
【００６１】
図１５のグラフの縦軸は第２族元素イオン除去率、横軸は使用日数である。ここで使用日数とは、加湿に用いる水道水の硬度を１００ｐｐｍ、１日に使用する水道水の量を４Ｌとして以下の式で求めた値である。
【００６２】
使用日数（日）＝１０００ｐｐｍ／１００ｐｐｍ×通水した人工硬水の量（Ｌ）／４Ｌ
この結果、第２族元素イオン除去率が６７％になるまでの日数は２６日となり、本発明のスケール除去器１が１ヶ月近くの長期間にわたって第２族元素イオンを高率除去できることがわかった。
【産業上の利用可能性】
【００６３】
以上のごとく本発明のスケール除去器はカルシウムイオンやマグネシウムイオンなどの第２族元素イオンが取り除かれた水を長期間、もしくは大量に供給することができ、不溶性塩の発生を防ぐ機器として有用である。また、本発明の加湿機は清潔で洗浄メンテの手間がかからない加湿トレイを提供し、常に高い加湿能力を発揮するため、例えば居住空間の加湿装置として大いに活用が期待できるものである。
【符号の説明】
【００６４】
１  スケール除去器
２  外筒
３  内筒
４  下面
５  内筒下面複合体
６  イオン交換樹脂
７  上蓋
８  スポンジ体
９  仕切り板
１０  入口
１１  入口二分板
１２  出口
１３  メッシュ材
１４  取水孔
１５  通水方向
１６  空気孔
１７  給水タンク
１８  加湿トレイ
１９  加湿フィルタ
２０  送風機
２１  給水バルブ
２２  再生台
２３  タンク蓋
２４  ねじ溝Ｂ
２５  ねじ溝Ｃ
２６  バルブばね
２７  弁
２８  トレイ突起
２９  トレイ支持体
３０  バルブ先端
３１  円筒状不織布
３２  フィルタフレーム
３３  空気吸込み口
３４  通風方向
３５  オリフィス
３６  空気吹出し口
３７  口ばし
３８  再生台突起
３９  再生台支持体
【図１】
2014043989.tif 000003
【図２】
2014043989.tif 000004
【図３】
2014043989.tif 000005
【図４】
2014043989.tif 000006
【図５】
2014043989.tif 000007
【図６】
2014043989.tif 000008
【図７】
2014043989.tif 000009
【図８】
2014043989.tif 000010
【図９】
2014043989.tif 000011
【図１０】
2014043989.tif 000012
【図１１】
2014043989.tif 000013
【図１２】
2014043989.tif 000014
【図１３】
2014043989.tif 000015
【図１４】
2014043989.tif 000016
【図１５】
2014043989.tif 000017
【図１６】
2014043989.tif 000018